(57)【特許請求の範囲】
【請求項１】
物体側から像側に順に、
正屈折力の第１レンズ群と、
負屈折力の第２レンズ群と、
開口絞りと、
正屈折力の第３レンズ群と、
負屈折力の第４レンズ群と、
正屈折力の第５レンズ群と、
からなり、
広角端から望遠端への変倍の際に、
少なくとも前記第１レンズ群と前記開口絞りの位置が固定され、
前記第２レンズ群と前記第３レンズ群が光軸方向に移動し、
前記第２レンズ群は像側に位置し、
前記第３レンズ群は物体側に位置し、
前記第４レンズ群は物体側に位置し、
前記第３レンズ群と前記第４レンズ群との間隔は広がり、
前記第４レンズ群と前記第５レンズ群との間隔は広がり、
前記各レンズ群と前記開口絞りの間の各々の間隔が変化し、
無限遠合焦状態から至近距離合焦状態へのフォーカシングの際に、
前記第４レンズ群が光軸方向に移動し、
以下の条件式（１）を満足する
ことを特徴とするズームレンズ。
−０．３６  ＜  ｆ４／ｆ１  ＜  −０．０５          ・・・（１）
ただし、
ｆ１は、前記第１レンズ群の焦点距離、
ｆ４は、前記第４レンズ群の焦点距離、
である。
【請求項２】
物体側から像側に順に、
正屈折力の第１レンズ群と、
負屈折力の第２レンズ群と、
開口絞りと、
正屈折力の第３レンズ群と、
負屈折力の第４レンズ群と、
正屈折力の第５レンズ群と、
からなり、
広角端から望遠端への変倍の際に、
少なくとも前記第１レンズ群と前記開口絞りの位置が固定され、
前記第２レンズ群と前記第３レンズ群が光軸方向に移動し、
前記各レンズ群と前記開口絞りの間の各々の間隔が変化し、
無限遠合焦状態から至近距離合焦状態へのフォーカシングの際に、
前記第４レンズ群が光軸方向に移動し、
以下の条件式（１−２）を満足する
ことを特徴とするズームレンズ。
−０．３３  ＜  ｆ４／ｆ１  ＜  −０．０５    ・・・（１−２）
ただし、
ｆ１は、前記第１レンズ群の焦点距離、
ｆ４は、前記第４レンズ群の焦点距離、
である。
【請求項３】
物体側から像側に順に、
正屈折力の第１レンズ群と、
負屈折力の第２レンズ群と、
開口絞りと、
正屈折力の第３レンズ群と、
負屈折力の第４レンズ群と、
正屈折力の第５レンズ群と、
からなり、
広角端から望遠端への変倍の際に、
少なくとも前記第１レンズ群と前記開口絞りの位置が固定され、
前記第２レンズ群と前記第３レンズ群が光軸方向に移動し、
無限遠合焦状態から至近距離合焦状態へのフォーカシングの際に、
前記第４レンズ群が光軸方向に移動し、
前記第３レンズ群は、物体側から像側に順に、
第１の正レンズと、第２の正レンズと、第１の負レンズと、第３の正レンズの４枚のレンズからなる、
または、
第１の正レンズと、第２の正レンズと、第１の負レンズと、第２の負レンズと、第３の正レンズの５枚のレンズからなり、
且つ、前記第３レンズ群中の少なくとも２つのレンズが互いに接合され、
以下の条件式（１）を満足する
ことを特徴とするズームレンズ。
−０．３６  ＜  ｆ４／ｆ１  ＜  −０．０５          ・・・（１）
ただし、
ｆ１は、前記第１レンズ群の焦点距離、
ｆ４は、前記第４レンズ群の焦点距離、
である。
【請求項４】
広角端から望遠端への変倍の際に少なくとも前記第１レンズ群と前記開口絞りと前記第５レンズ群の位置が固定され、
前記第２レンズ群と前記第３レンズ群と前記第４レンズ群が光軸方向に移動する
ことを特徴とする請求項１乃至３の何れか１項に記載のズームレンズ。
【請求項５】
以下の条件式（１−１）を満足する
ことを特徴とする請求項１乃至４の何れか１項に記載のズームレンズ。
−０．３３  ＜  ｆ４／ｆ１  ＜  −０．１０              ・・・（１−１）
【請求項６】
広角端且つ無限遠合焦状態にて以下の条件式（２）、条件式（３）を満足する
ことを特徴とする請求項１乃至５の何れか１項に記載のズームレンズ。
｜ｙ1’−ｙ1｜／Δｓ  ＜  ０．３５                ・・・（２）
｜ｙ0.7’−ｙ0.7｜／Δｓ  ＜  ０．３５            ・・・（３）
ただし、
ｙ1は、前記撮像面上での最大像高、
ｙ0.7は、前記最大像高ｙ1の0,7倍、
ｙ1’は、無限遠の物体に対して前記第４レンズ群を移動させて無限遠合焦時からΔｓのデフォーカス量が生じたときの、無限遠合焦時に前記ｙ1の像高に至る撮影画角と同じ画角の主光線が前記撮像面と交わる位置の光線高、
ｙ0.7’は、無限遠の物体に対して前記第４レンズ群を移動させて無限遠合焦時からΔｓのデフォーカス量が生じたときの、無限遠合焦時に前記ｙ0.7の像高に至る撮影画角と同じ画角の主光線が前記撮像面と交わる位置の光線高、
Δｓは、８＊最大像高ｙ1／１０００、
であり、
ｙ1、ｙ0.7、ｙ1’、ｙ0.7’、Δｓの単位は、何れもｍｍ
である。
【請求項７】
前記撮像面の最大像高ｙ1は、以下の条件式（Ａ）を満足する
ことを特徴とする請求項６に記載のズームレンズ。
８．０  ＜  ｙ１  ＜  ２５．０                    ・・・（Ａ）
【請求項８】
広角端の無限遠合焦状にて以下の条件式（２−１）、（３−１）を満足する
ことを特徴とする請求項６または請求項７に記載のズームレンズ。
｜ｙ1’−ｙ1｜／Δｓ  ＜  ０．２９                ・・・（２−１）
｜ｙ0.7’−ｙ0.7｜／Δｓ  ＜  ０．２９            ・・・（３−１）
【請求項９】
前記第４レンズ群が、前記フォーカシング前に光軸方向にウォブリング移動する
ことを特徴とする請求項１乃至請求項８の何れか１項に記載のズームレンズ。
【請求項１０】
前記第４レンズ群は、
１枚の正レンズと１枚の負レンズを有し、
前記第４レンズ群中のレンズの総数が２である
ことを特徴とする請求項１乃至請求項９の何れか１項に記載のズームレンズ。
【請求項１１】
以下の条件式（４）を満足する
ことを特徴とする請求項１乃至請求項１０の何れか１項に記載のズームレンズ。
０．２０  ＜  Σ１G／Σ２G  ＜ １．００          ・・・（４）
ただし、
Σ１Gは、前記第１レンズ群の光軸上での厚み、
Σ２Gは、前記第２レンズ群の光軸上での厚み、
である。
【請求項１２】
以下の条件式（４−１）を満足する
ことを特徴とする請求項１１に記載のズームレンズ。
０．３１  ＜  Σ１G／Σ２G  ＜ ０．８７          ・・・（４−１）
【請求項１３】
以下の条件式（５）を満足する
ことを特徴とする請求項１乃至請求項１２の何れか１項に記載のズームレンズ。
０．０３  ＜  Σ１G／ｆ１  ＜ ０．２３            ・・・（５）
ただし、
Σ１Gは、前記第１レンズ群の光軸上での厚み、
ｆ１は、前記第１レンズ群の焦点距離、
である。
【請求項１４】
以下の条件式（５−１）を満足する
ことを特徴とする請求項１３に記載のズームレンズ。
０．０５  ＜  Σ１G／ｆ１  ＜ ０．２１          ・・・（５−１）
【請求項１５】
以下の条件式（６）を満足する
ことを特徴とする請求項１乃至請求項１４の何れか１項に記載のズームレンズ。
Σ１G５G／ｙ1  ＜ １５．９                        ・・・（６）
ただし、
Σ１G５Gは、広角端における前記第１レンズ群の物体側面から前記第５レンズ群の像側面までの光軸上での厚み、
ｙ1は前記撮像面上での最大像高、
である。
【請求項１６】
以下の条件式（６−１）を満足する
ことを特徴とする請求項１４に記載のズームレンズ。
Σ１G５G／ｙ１  ＜ １４．１                      ・・・（６−１）
【請求項１７】
以下の条件式（７）を満足する
ことを特徴とする請求項１乃至請求項１６の何れか１項に記載のズームレンズ。
０．５０  ＜  ｄ２G／ｆｗ  ＜  ５．００          ・・・（７）
ただし、
ｄ２Gは、広角端から望遠端への変倍の際の前記第２レンズ群の移動量、
であり、像側への移動を正符号とし、
ｆｗは、広角端におけるズームレンズ全系の焦点距離、
である。
【請求項１８】
以下の条件式（７−１）を満足する
ことを特徴とする請求項１７に記載のズームレンズ。
０．９７  ＜  ｄ２G／ｆｗ  ＜  ４．１０          ・・・（７−１）
【請求項１９】
前記第２レンズ群は、物体側から像側に順に、
第１の負レンズと、第２の負レンズと、第１の正レンズと、第２の正レンズの４枚のレンズからなる、
または、
第１の負レンズと、第２の負レンズと、第１の正レンズと、第３の負レンズの４枚のレンズからなる
ことを特徴とする請求項１乃至請求項１８の何れか１項に記載のズームレンズ。
【請求項２０】
前記第３レンズ群は、物体側から像側に順に、
第１の正レンズと、第２の正レンズと、第１の負レンズと、第３の正レンズの４枚のレンズからなる、
または、
第１の正レンズと、第２の正レンズと、第１の負レンズと、第２の負レンズと、第３の正レンズの５枚のレンズからなり、
且つ、前記第３レンズ群中の少なくとも２つのレンズが互いに接合されている
ことを特徴とする請求項１乃至請求項１９の何れか１項に記載のズームレンズ。
【請求項２１】
前記第５レンズ群は、
１枚の正レンズからなる、
または、
１枚の正レンズと１枚の負レンズの２枚のレンズからなる
ことを特徴とする請求項１乃至２０の何れか１項に記載のズームレンズ。
【請求項２２】
広角端に対して望遠端にて、
前記第２レンズ群は像側に位置し、
前記第３レンズ群は物体側に位置し、
前記第４レンズ群は物体側に位置し、
前記第３レンズ群と前記第４レンズ群との間隔は広がり、
前記第４レンズ群と前記第５レンズ群との間隔は広がる
ことを特徴とする請求項１乃至請求項２１の何れか１項に記載のズームレンズ。
【請求項２３】
以下の条件式（８）、（９）を満足する
ことを特徴とする請求項１乃至請求項２２の何れか１項に記載のズームレンズ。
４．６＜ｆｔ／ｆｗ＜１２．５                    ・・・（８）
３５°＜  ωｗ  ＜  ５０°                      ・・・（９）
ただし、
ｆｗは、広角端無限遠合焦時のズームレンズ全系焦点距離、
ｆｔは、望遠端無限遠合焦時のズームレンズ全系焦点距離、
ωｗは、広角端無限遠合焦時の最大半画角、
である。
【請求項２４】
請求項１乃至２３の何れか１項に記載のズームレンズと、
光学像を電気信号に変換する撮像面を持つ撮像素子と、
を備えたことを特徴とする撮像装置。
【発明の詳細な説明】
【技術分野】
【０００１】
本発明は、変倍時及びフォーカシング時に全長が一定のズームレンズに関するものである。特に交換レンズシステムに適し、動画撮影を可能とする小型で広角・高変倍なズームレンズに関するものである。更には、変倍時及びフォーカシング時に全長が一定のズームレンズを備えた撮像装置に関するものである。
【背景技術】
【０００２】
従来、デジタルカメラにおいては動画撮影が可能な製品が知られている。近年では、レンズ交換式のデジタルカメラにおいてもカメラボディの動画撮影機能に対応した交換レンズの検討が行われている。
【０００３】
従来の静止画撮影用のカメラでは、一瞬の撮影チャンスを切り取る事が目的であったため、構図を決めた後に、撮影の瞬間に狙った被写体へピントが合っていれば良く、そのための機能が求められていた。具体的には、いわゆる位相差方式のオートフォーカス（ＡＦ）機能が採用されており、速さと精度を兼ね備えたＡＦ方式であった。
【０００４】
しかしながら、動画撮影において、一部のプロ用ビデオカメラは熟練したカメラマンがマニュアルフォーカス（ＭＦ）にて合焦作業を行うが、多くの民生用ビデオカメラでは常時、ＡＦシステムを働かせて被写体距離に応じて合焦状態を保つ必要がある。そのための方法として、撮像素子によるコントラストＡＦ方式（いわゆる山登り方式）が採用されている。
【０００５】
さらに、合焦状態を維持するために、フォーカスレンズを合焦位置の光軸方向前後に、常に微小量動かすこと（ウォブリングと言われる）によってコントラストの変化を測定しておき、合焦状態が変化していると判断された場合には、フォーカスレンズを適切に移動させることによって、再度、合焦し直すように動作する。このウォブリング機能は、フレームレートに応じて非常に高速な動作が必要とされるため、ウォブリングに使用するレンズには軽量化が求められている。
【０００６】
また、常にフォーカスレンズを動かしているが、その移動範囲は焦点深度内となっている。従って、ウォブリング中のピンボケは認識できないよう制御されている。このとき、像倍率の変化（撮像面上での被写体の大きさの変化）が大きい場合には、画像が常に揺らいでいるように見えてしまい非常に不自然となる。従って、ウォブリング時の倍率変化を小さく抑えることが重要な要求項目となっている。
【０００７】
また、動画撮影が可能な製品においては、録音機能も有している製品が知られている。変倍動作をしたとき、交換レンズ自身から発生する音が大きいと録音の妨げになる。そこで、動画撮影機能に対応したズームレンズにおいては、変倍動作の際に発生する音を十分小さくするために、変倍動作中移動する群（レンズ群や開口絞り）を少なくすることが求められる。
【０００８】
また、静止画撮影と動画撮影の両方の用途に用いられる交換レンズは、撮影用途の拡がりに伴い、広角化・高変倍化が求められている。
【０００９】
従来、広角・高変倍に適したタイプのズームレンズとして、正・負・正・負・正の５群タイプのズームレンズが知られている。
【００１０】
特許文献１から特許文献６には、広角・高変倍に適した正・負・正・負・正の５群タイプのズームレンズの設計例が提案されている。特許文献１は、広角端から望遠端への変倍の際、第１レンズ群〜第５レンズ群を移動している。
【００１１】
また、特許文献２〜６は、広角端から望遠端への変倍の際、第１レンズ群と第５レンズ群を固定としている。また、特許文献２、３、４、６は、開口絞りも固定としている。さらに、特許文献２、３、５、６では、フォーカシングは、第４レンズ群などを移動することで行うなど小型化に適した構成となっている。
【先行技術文献】
【特許文献】
【００１２】
【特許文献１】特開２０１０−３２７０２号公報
【特許文献２】特開平８−５９１３号公報
【特許文献３】特開２００２−２２８９３１号公報
【特許文献４】特開２００６−２７６８０８号公報
【特許文献５】特開２００７−３５９８号公報
【特許文献６】特開２００９−１２８６２０号公報
【発明の概要】
【発明が解決しようとする課題】
【００１３】
しかしながら、特許文献１に開示されたズームレンズは、変倍動作中に全てのレンズ群を移動しているため、交換レンズ自身から発生する音を小さくする点で望ましい構成とはなっていない。中でも、レンズ径が最も大きい第１レンズ群を移動させているため、動画撮影時の雑音が目立ちやすくなる。
【００１４】
特許文献２〜６に開示されたズームレンズは、変倍動作中、第１レンズ群を固定しているため、交換レンズ自身から発生する音を小さくする点では望ましい構成となっている。
【００１５】
しかしながら、特許文献２、３に開示されたズームレンズは、撮像素子の大きさがホームビデオカメラ等の小さいものを想定している。従って、それらのズームレンズを係数倍して、本発明の各実施例のように４／３インチ程度の大きいサイズ撮像素子に適用しようとするとズームレンズのサイズが大きくなり望ましくない。
【００１６】
また、特許文献４に開示されたズームレンズは、変倍比が２．８程度と小さく、フォーカスレンズ群の記載がない。
【００１７】
また、特許文献５に開示されたズームレンズも、変倍比が２．８程度と小さく、変倍時、開口絞りが移動している。
【００１８】
また、特許文献６に開示されたズームレンズは、小型化という点で十分ではない。
【００１９】
本願発明は、上述の課題に鑑みてなされたものであり、動画撮影中のフォーカシング時の画像やウォブリング動作時での画像が見やすいズームレンズを提供することを目的とするものである。また、動画撮影中のズーム中の静音化に適したズームレンズを提供することを目的とするものである。また、静止画撮影と動画撮影の両方の用途に用いられる小型な広角・高変倍な交換レンズを提供することを目的とするものである。さらには、そのようなズームレンズを備えた撮像装置の提供を目的としている。
【課題を解決するための手段】
【００２０】
上記課題を解決するために、本発明に係るズームレンズは、以下のものである。
【００２１】
本発明にかかる第１のズームレンズは、撮像素子の撮像面側に配置されるズームレンズであって、物体側から像側に順に、正屈折力の第１レンズ群と、負屈折力の第２レンズ群と、開口絞りと、正屈折力の第３レンズ群と、負屈折力の第４レンズ群と、正屈折力の第５レンズ群と、を有し、広角端から望遠端への変倍の際に、少なくとも前記第１レンズ群と前記開口絞りの位置が固定され、第２レンズ群と第３レンズ群が光軸方向に移動し、前記各レンズ群と前記開口絞りの間の各々の間隔が変化し、無限遠合焦状態から至近距離合焦状態へのフォーカシングの際に、第４レンズ群が光軸方向に移動し、以下の条件式（１）を満足することを特徴とする。
−０．３６  ＜  ｆ４／ｆ１  ＜  −０．０５      ・・・（１）
ただし、
ｆ１は、前記第１レンズ群の焦点距離、
ｆ４は、前記第４レンズ群の焦点距離、
である。
【００２２】
以下に、本発明にかかるズームレンズにおいて、上記構成をとる理由と作用を説明する。
【００２３】
正屈折力のレンズ群を最も物体側に配置した正先行タイプのズームレンズを採用することで、変倍比の確保に有利となり、広角・高変倍ズームレンズとしての好ましいレンズ配置となる。主な変倍は第１レンズ群−第２レンズ群間の間隔変化と第２レンズ群−第３レンズ群間の間隔変化に担わせ、それ以降のレンズ群間隔の変化にて像位置調整等を行うことができる。加えて、負屈折力の第４レンズ群と正屈折力の第５レンズ群を配置することにより、射出瞳の位置を適切に設定し、第１レンズ群ないし第４レンズ群のサイズを小さくできる。そのため、小型で安価なズームレンズを構成することに有利となる。
【００２４】
本実施形態のズームレンズにおいては、ズーム中の静音化に適したズーム方式を実現する必要があり、ズーム中の移動群を少なくすることや軽量化が求められる。そこで、本実施形態では、第１レンズ群と開口絞りを固定し、第２レンズ群と第３レンズ群を移動し、各レンズ群と開口絞りに挟まれる各々の間隔を変化させて変倍比の確保や像位置調整等を行うようにしている。
【００２５】
負屈折力の第４レンズ群は軽量化やフォーカス感度の確保（少ない移動量でフォーカシングを可能とする）に有利となる。加えて、第４レンズ群を繰り出した際は、第４レンズ群での軸外での主光線の入射高は低くなり第５レンズ群へ向かう主光線の光軸に対する角度は小さくなるが、第４レンズ群と第５レンズ群との距離が長くなるため、撮像面上での軸外での主光線の入射高の変化を小さくでき、倍率変化を小さくすることが可能となる。よって、第４レンズ群をフォーカシングレンズ群とすることで、移動に伴う倍率の変化を抑えやすくフォーカシング（更にはウォブリング）動作での倍率変化を抑えられる。
【００２６】
条件式（１）は第１レンズ群と第４レンズ群の好ましい屈折力に関する。
【００２７】
条件式（１）の下限値を下回らないように第４レンズ群の屈折力を確保することで、フォーカシング（さらにはウォブリング）における第４レンズ群の移動量を小さくできる。それに伴い、可動スペースも小さくできるのでズームレンズ全体の小型化に有利となる。また、下限値を下回らないように第１レンズ群の屈折力を抑えることで、第１レンズ群で発生する収差を抑えることができ、構成レンズ枚数を少なくできる。
【００２８】
条件式（１）の上限値を上回らないように第４レンズ群の屈折力を抑えることで、第４レンズ群の構成レンズ枚数を少なくしつつ、フォーカシングに伴う収差変動を抑えられる。また、上限値を上回らないように第１レンズ群の屈折力を確保することで、ズームレンズの全長を短くすることができ、小型化に有利となる。
【００２９】
本実施形態のズームレンズにて、以下に述べる構成要件の少なくとも何れか１つ、更には複数を同時に満足することがより好ましい。
【００３０】
広角端から望遠端への変倍の際に少なくとも前記第１レンズ群と前記開口絞りと前記第５レンズ群の位置が固定され、前記第２レンズ群と前記第３レンズ群と前記第４が光軸方向に移動することが好ましい。
【００３１】
第１レンズ群と第５レンズ群を固定レンズ群とすることで、第２、第３、第４レンズ群の移動に伴うノイズ音を軽減しやすくなる。また、第４レンズ群がフォーカシング時と変倍時の双方で移動するようにすることで、駆動レンズ群数を抑えられ好ましい。
【００３２】
広角端且つ無限遠合焦状態にて以下の条件式（２）、条件式（３）を満足することが好ましい。
｜ｙ1’−ｙ1｜／Δｓ  ＜  ０．３５          ・・・（２）
｜ｙ0.7’−ｙ0.7｜／Δｓ  ＜  ０．３５      ・・・（３）
ただし、
ｙ1は、撮像面上での最大像高、
ｙ0.7は、最大像高ｙ1の0,7倍、
ｙ1’は、無限遠の物体に対して第４レンズ群を移動させて無限遠合焦時からΔｓのデフォーカス量が生じたときの、無限遠合焦時にｙ1の像高に至る撮影画角と同じ画角の主光線が撮像面と交わる位置の光線高、
ｙ0.7’は、無限遠の物体に対して第４レンズ群を移動させて無限遠合焦時からΔｓのデフォーカス量が生じたときの、無限遠合焦時にｙ0.7の像高に至る撮影画角と同じ画角の主光線が前記撮像面と交わる位置の光線高、
Δｓは、８＊最大像高ｙ1／１０００、
であり、
ｙ1、ｙ0.7、ｙ1’、ｙ0.7’、Δｓの単位は何れもｍｍ
である。
【００３３】
本実施形態のズームレンズにおいては、フォーカスレンズ群の高速駆動（さらには、動画撮影におけるウォブリング）を考慮したフォーカス方式を実現する必要があり、フォーカスレンズ群の軽量化が求められる。そこで、本実施形態では、第４レンズ群にてフォーカシング（さらには、ウォブリング）を行うようにしている。
【００３４】
このような構成により、本実施形態のズームレンズは、従来のズームレンズと比べ、フォーカシング（さらには動画撮影中のウォブリング）時に、像倍率の変化を小さく成したものである。像倍率の変化量は、像の高さによっても異なるが、特定の像高のみでは不十分であり、画面全体で変化量を小さくしなければならない。
【００３５】
条件式（２）と条件式（３）は、そのための条件式であり、デフォーカス量に対する像倍率変化量の条件を規定するものである。なお、デフォーカス量Δｓの値によっても異なるが、ここでは許容深度に相当するデフォーカス量で計算している。一般的に、許容深度はＦナンバー＊許容錯乱円径で表すことができるが、本実施形態では、Ｆナンバー＝８、許容錯乱円径＝最大像高（ｙ1）／１０００とした。
【００３６】
条件式（２）と条件式（３）のどちらか一方を満たすだけではなく、本発明のように画面全体で変化量を小さくするためには、条件式（２）と条件式（３）の両式を満たす必要がある。また、条件式（２）と条件式（３）の両式を満足することで、これ以外の像高や焦点距離状態においても像倍率変化を小さく維持することができることが分かった。条件式（２）と条件式（３）式の上限値を上回ると、像倍率の変化量が大きくなり、好ましくない。
【００３７】
図１は、本実施形態のズームレンズについて、その条件式の定義を説明するための模式図である。説明の便宜上、第１から第５の各レンズ群中のレンズ形状、枚数は簡略化して記載するとともに、ウォブリングを想定した第４レンズ群の移動量、光路は誇張して記載している。
【００３８】
本実施形態のズームレンズは、物体側から像側（撮像面）に向かって順に、正屈折力の第１レンズ群、負屈折力の第２レンズ群、正屈折力の第３レンズ群、負屈折力の第４レンズ群、正屈折力の第５レンズ群にて構成できる。
【００３９】
図中、光線Ａは無限遠合焦時において、撮像面の最大像高（ｙ1）の位置に入射する主光線を示している。また、光線Ｂは無限遠合焦時において、撮像面の最大像高（ｙ1）の０．７倍（ｙ0.7）の位置に入射する主光線を示している。
【００４０】
本実施形態のズームレンズでは、第４レンズ群を移動させることでフォーカシング、あるいは、ウォブリングを行うことを特徴とするものである。図中、光線Ａ’は、第４レンズ群がフォーカシング、あるいは、ウォブリングにより移動したことで、撮像面よりもデフォーカス量ΔＳだけ離れた位置に結像した場合における主光線Ａの変位状態が示されている。
【００４１】
また、光線Ｂ’は、第４レンズ群がフォーカシング、あるいは、ウォブリングにより移動したことで、撮像面よりもデフォーカス量ΔＳだけ離れた位置に結像した場合における主光線Ｂの変位状態が示されている。なお、デフォーカス量ΔＳは、前述したように、８＊最大像高（ｙ1）／１０００としている。
【００４２】
この光線Ａ’が撮像面において結像する像高をｙ1’、光線Ｂ’が撮像面で結像する像高をｙ0.7’と規定している。
【００４３】
負屈折力の第４レンズ群は軽量化やピント感度の確保に有利となる。加えて、第４レンズ群を繰り出した際は、第４第５レンズ群間は大きくなるものの第４レンズ群での軸外での主光線の入射高は低くなり、撮像面上での倍率変化を相殺する関係となり、第４レンズ群の移動に伴う倍率の変化を抑えやすくフォーカシング（更にはウォブリング）動作での倍率変化を抑えられる。特に、動画撮影を行う場合に有利となる。また、遠距離から近距離へのフォーカシングを第４レンズ群の像側への移動により行う際も、撮像面上での倍率変化を抑えられる。
【００４４】
また、撮像面の最大像高ｙ1は、以下の条件式（Ａ）を満足することが好ましい。
８．０  ＜  ｙ１  ＜  ２５．０                  ・・・（Ａ）
【００４５】
条件式（Ａ）の下限値を下回らないようにして撮像面積を確保することで、高感度撮影時の信号ノイズを防ぎやすくなる。加えて、フォーカシング（更にはウォブリング）動作の移動量を大きくでき、制御が容易となる。また、条件式（Ａ）の上限値を上回らないようにして撮像面積の増大を防ぐことで、ズームレンズの大型化を抑えやすくなる。加えて、フォーカシング（更にはウォブリング）動作するレンズも小さくなり、その動作時の電力消費を抑えやすくなる。
【００４６】
このように、第４レンズ群はフォーカシングのみならず、フォーカシング前に光軸方向にウォブリング移動するレンズ群としてもよい。
【００４７】
第４レンズ群はフォーカシングのみならず、フォーカシング前に光軸方向にウォブリング移動するレンズ群とすることで、合焦状態を維持することができ、特に、動画撮影を行う場合に有利となる。
【００４８】
第４レンズ群は、１枚の正レンズと１枚の負レンズを有し、第４レンズ群中のレンズの総数が２であることが好ましい。
【００４９】
第４レンズ群の軽量化を図りつつ正レンズと負レンズにて相互に収差をキャンセルしあうことで第４レンズ群での諸収差の低減に有利となる。
【００５０】
以下の条件式（４）を満足することが好ましい。
０．２０  ＜  Σ１G／Σ２G  ＜ １．００          ・・・（４）
ただし、
Σ１Gは、第１レンズ群の光軸上での厚み、
Σ２Gは、第２レンズ群の光軸上での厚み、
である。
【００５１】
条件式（４）は、第１レンズ群と第２レンズ群の好ましい光軸上での厚みに関する。条件式（４）の下限値を下回らないように第１レンズ群の光軸上での厚みを適度に設定することで、第１レンズ群の収差補正に有利となる。条件式（４）の上限値を上回らないように第１レンズ群の光軸上での厚みを適度に設定することで、第１レンズ群の大型化を防ぐことができる。
【００５２】
以下の条件式（５）を満足することが好ましい。
０．０３  ＜  Σ１G／ｆ１  ＜ ０．２３          ・・・（５）
ただし、
Σ１Gは、第１レンズ群の光軸上での厚み、
ｆ１は、第１レンズ群の焦点距離、
である。
【００５３】
条件式（５）は、第１レンズ群の好ましい光軸上での厚みと屈折力に関する。
【００５４】
条件式（５）の下限値を下回らないように第１レンズ群の屈折力を確保することで、ズームレンズの全長を短くすることができ、小型化に有利となる。
【００５５】
条件式（５）の上限値を上回らないように第１レンズ群の光軸上での厚みを適度に設定することで、第１レンズ群の大型化を防ぐことができる。また、上限値を上回らないように第１レンズ群の屈折力を抑えることで、第１レンズ群で発生する収差を抑えることができ、構成レンズ枚数を少なくできる。
【００５６】
以下の条件式（６）を満足することが好ましい。
Σ１G５G／ｙ1  ＜ １５．９                      ・・・（６）
ただし、
Σ１G５Gは、広角端における第１レンズ群の物体側面から第５レンズ群の像側面までの光軸上での厚み、
ｙ1は撮像面上での最大像高、
である。
【００５７】
条件式（６）は、第１レンズ群から第５レンズ群の好ましい光軸上での厚みに関する。条件式（６）の上限値を上回らないように第１レンズ群から第５レンズ群の光軸上での厚みを適度に設定することで、ズームレンズの大型化を防ぐことができる。
【００５８】
以下の条件式（７）を満足することが好ましい。
０．５０  ＜  ｄ２G／ｆｗ  ＜  ５．００          ・・・（７）
ただし、
ｄ２Gは、広角端から望遠端への変倍の際の前記第２レンズ群の移動量であり、像側への移動を正符号とし、
ｆｗは、広角端におけるズームレンズ全系の焦点距離、
である。
【００５９】
条件式（７）は、第２レンズ群の好ましい広角端から望遠端への変倍の際の移動量に関する。
【００６０】
条件式（７）の下限値を下回らないように第２レンズ群の変倍の際の移動量を適度に設定することで、主に、第２レンズ群の移動で負担する変倍比と第３レンズ群の移動で負担する変倍比とを適度に配分することができ、第３レンズ群の移動量の増大を防ぐことができ、ズームレンズの全長の小型化に有利となる。
【００６１】
条件式（７）の上限値を上回らないように第２レンズ群の変倍の際の移動量を適度に設定することで、第２レンズ群の移動量の増大を防ぐことができ、ズームレンズの全長の小型化に有利となる。
【００６２】
また、第２レンズ群は、物体側から像側に順に、第１の負レンズと、第２の負レンズと、第１の正レンズと、第２の正レンズの４枚のレンズからなる、または、第１の負レンズと、第２の負レンズと、第１の正レンズと、第３の負レンズの４枚のレンズからなることが好ましい。
【００６３】
このように４枚のレンズにて構成することで第２レンズ群で発生する収差の低減に有利となると共に主点を第１レンズ群よりにでき変倍比の確保等に有利となる。
【００６４】
また、第３レンズ群は、物体側から像側に順に、第１の正レンズと、第２の正レンズと、第１の負レンズと、第３の正レンズの４枚のレンズからなる、または、第１の正レンズと、第２の正レンズと、第１の負レンズと、第２の負レンズと、第３の正レンズの５枚のレンズからなり、且つ、前記第３レンズ群中の少なくとも２つのレンズが互いに接合されていることが好ましい。
【００６５】
このように４枚のレンズあるいは５枚のレンズにて構成することで主点を物体側よりにしつつ第３レンズ群中のレンズの屈折力配置を対称的にでき第３レンズ群で発生する収差の低減に有利となる。
【００６６】
また、接合レンズを含むことで、色収差の低減に有利となる。
【００６７】
また、前記第５レンズ群は、１枚の正レンズからなる、または、１枚の正レンズと１枚の負レンズの２枚のレンズからなることが好ましい。
【００６８】
第５レンズ群を１枚構成にすることで第５レンズ群の小型化に有利となる。あるいは、第５レンズ群を２枚構成することで正レンズと負レンズにて相互に収差をキャンセルさせ、第５レンズ群での諸収差の低減に有利となる。
【００６９】
また、広角端に対して望遠端にて、第２レンズ群は像側に位置し、第３レンズ群は物体側に位置し、第４レンズ群は物体側に位置し、第３レンズ群と前記第４レンズ群との間隔は広がり、第４レンズ群と前記第５レンズ群との間隔は広がることが好ましい。
【００７０】
第２、第３レンズ群にて変倍機能を確保し、第４レンズ群にて像面位置の調整をおこなうことできるが、上述の移動方式とすることで第４レンズ群のフォーカシング時の移動範囲を望遠端ほど確保でき近距離へのフォーカシングに有利となる。
【００７１】
また、以下の条件式（８）、（９）を満足することが好ましい。
４．６＜ｆｔ／ｆｗ＜１２．５                  ・・・（８）
３５°＜  ωｗ  ＜  ５０°                    ・・・（９）
ただし、
ｆｗは、広角端無限遠合焦時のズームレンズ全系焦点距離、
ｆｔは、望遠端無限遠合焦時のズームレンズ全系焦点距離、
ωｗは、広角端無限遠合焦時の最大半画角
である。
【００７２】
条件式（８）及び条件式（９）は、本実施形態のズームレンズを用いる場合の好ましいスペックを特定するものである。
【００７３】
条件式（８）は好ましい変倍比を特定するものである。下限値を下回らないように変倍比を確保することでさまざまな撮影シーンに対応でき好ましい。上限値を上回らないようにすることで、収差変動の低減や望遠端での明るさの確保に有利となる。
【００７４】
条件式（９）は好ましい広角端での半画角を特定するものである。下限値を下回らないように画角を確保することが好ましい。上限値を上回らないように画角を適度に抑えることで、軸外収差の低減に有利となる。
【００７５】
本実施形態の撮像装置では、前記のいずれかに記載のズームレンズと光学像を電気信号に変換する撮像面を持つ撮像素子とを備えることが好ましい。
【００７６】
上述の各構成は、定義で示していない場合は無限遠合焦時での構成とする。また、上述の構成の複数を同時に満足することがより好ましい。
【００７７】
各条件式では、上限値または下限値を更に以下のようにすることがより好ましい。このような上限値または下限値を採用することで、上述の効果をさらに高めることが可能となる。
【００７８】
条件式（１）について
下限値を−０．３３とすることがより好ましい。
上限値を−０．１０とすることがより好ましい。
【００７９】
条件式（２）、（３）について
観察条件が厳しくなり、大画面のＴＶ等で観察されても良好な動画像を得るためには、広角端の無限遠合焦状態にて以下の条件式（２）もしくは（３）の一方または双方の下限値を０．２９とすることがより好ましい。
【００８０】
条件式（４）について
下限値を０．３１とすることがより好ましい。
上限値を０．８７とすることがより好ましい。
【００８１】
条件式（５）について
下限値を０．０５とすることがより好ましい。
上限値を０．２１とすることがより好ましい。
【００８２】
条件式（６）について
上限値を１４．１とすることがより好ましい。
【００８３】
条件式（７）について
下限値を０．９７とすることがより好ましい。
上限値を４．１０とすることがより好ましい。
【００８４】
条件式（Ａ）について
下限値を９．５とすることがより好ましい。
上限値を１８．０とすることがより好ましい。
【発明の効果】
【００８５】
本発明によれば、小型で動画撮影に適したズームレンズおよび撮像装置を提供できる。
【図面の簡単な説明】
【００８６】
【図１】本実施形態のズームレンズにおける条件式の定義を説明するための模式図である。
【図２】実施例１のズームレンズを展開して光軸に沿ってとった断面図である。
【図３】実施例２のズームレンズを展開して光軸に沿ってとった断面図である。
【図４】実施例３のズームレンズを展開して光軸に沿ってとった断面図である。
【図５】実施例４のズームレンズを展開して光軸に沿ってとった断面図である。
【図６】実施例５のズームレンズを展開して光軸に沿ってとった断面図である。
【図７】実施例６のズームレンズを展開して光軸に沿ってとった断面図である。
【図８】実施例７のズームレンズを展開して光軸に沿ってとった断面図である。
【図９】実施例１のズームレンズの収差図である。
【図１０】実施例１のズームレンズの収差図である。
【図１１】実施例２のズームレンズの収差図である。
【図１２】実施例２のズームレンズの収差図である。
【図１３】実施例３のズームレンズの収差図である。
【図１４】実施例３のズームレンズの収差図である。
【図１５】実施例４のズームレンズの収差図である。
【図１６】実施例４のズームレンズの収差図である。
【図１７】実施例５のズームレンズの収差図である。
【図１８】実施例５のズームレンズの収差図である。
【図１９】実施例６のズームレンズの収差図である。
【図２０】実施例６のズームレンズの収差図である。
【図２１】実施例７のズームレンズの収差図である。
【図２２】実施例７のズームレンズの収差図である。
【図２３】本実施形態のズームレンズを交換レンズとして用いた撮像装置の断面図である。
【図２４】本実施形態のデジタルカメラの外観を示す前方斜視図である。
【図２５】本実施形態のデジタルカメラの外観を示す後方斜視図である。
【図２６】本実施形態のデジタルカメラの制御構成を示すブロック図である。
【発明を実施するための形態】
【００８７】
以下に示す各実施例は、クイックリターンミラーのないカメラ本体に装着する交換レンズに用い、動画撮影が可能なズームレンズとなっている。像面３５ｍｍ判換算の焦点距離で広角端が２４〜２８ｍｍ程度、変倍比が５〜１０倍程度の広角・高変倍ズームレンズとなっている。
【００８８】
本発明の実施例１〜実施例７のズームレンズについて図を用いて説明する。図２〜図８は、本発明の実施例１〜実施例７のズームレンズを展開して光軸に沿ってとった断面図である。各図において（ａ）は広角端（ＷＥ）、（ｂ）は中間状態（ＳＴ）、（ｃ）は望遠端（ＴＥ）を示している。
【００８９】
図２は、実施例１のズームレンズの断面図である。
【００９０】
３５ｍｍ判換算焦点距離で広角端が２４ｍｍ、変倍比が５倍程度の広角・高変倍ズームレンズである。
【００９１】
実施例１のズームレンズは、図に示すように物体側から像側に順に、正屈折力の第１レンズ群Ｇ１、負屈折力の第２レンズ群Ｇ２、正屈折力の第３レンズ群Ｇ３、負屈折力の第４レンズ群Ｇ４、正屈折力の第５レンズ群Ｇ５にて構成されている。図中、Ｓは開口絞り、Ｉは像面、Ｃはカバーガラスを示している。
【００９２】
第１レンズ群Ｇ１は、物体側から像側に順に、物体側に凸面を向けた負メニスカスレンズＬ１１と物体側に凸面を向けた正メニスカスレンズＬ１２の接合レンズＳＵ１１からなる。
【００９３】
第２レンズ群Ｇ２は、物体側から像側に順に、物体側に凸面を向けた負メニスカスレンズＬ２１と、両凹負レンズＬ２２と両凸正レンズＬ２３の接合レンズＳＵ２１と、両凸正レンズＬ２４と、からなる。
【００９４】
第３レンズ群Ｇ３は、物体側から像側に順に、両凸正レンズＬ３１と、両凸正レンズＬ３２と両凹負レンズＬ３３と両凸正レンズＬ３４の接合レンズＳＵ３１と、からなる。
【００９５】
第４レンズ群Ｇ４は、両凹負レンズＬ４１と物体側に凸面を向けた正メニスカスレンズＬ４２の接合レンズＳＵ４１からなる。
【００９６】
第５レンズ群Ｇ５は、両凸正レンズＬ５１からなる。
【００９７】
この実施例１のズームレンズの動作について説明する。ズーム動作において、第１レンズ群Ｇ１、開口絞りＳ、第５レンズ群Ｇ５は固定、第２レンズ群Ｇ２、第３レンズ群Ｇ３、第４レンズ群Ｇ４は独立して移動する。
【００９８】
広角端から望遠端へと変倍する際には、第２レンズ群Ｇ２は、広角端から望遠端まで、第１レンズ群Ｇ１との間隔を広げ、絞りＳとの間隔を狭めながら像側へ移動する。第３レンズ群Ｇ３は、広角端から望遠端まで、絞りＳとの間隔を狭め、第４レンズ群Ｇ４との間隔を広げながら物体側へ移動する。第４レンズ群Ｇ４は、広角端から望遠端まで、第３レンズ群Ｇ３との間隔を広げ、第５レンズ群Ｇ５との間隔を広げながら物体側へ移動する。
【００９９】
フォーカス動作、ウォブリング動作は、第４レンズ群Ｇ４にて行われる。無限から近距離へのフォーカスに際し、第４レンズ群Ｇ４は像側へ移動する。
【０１００】
非球面は、第２レンズ群Ｇ２の両凸正レンズＬ２４の両面ｒ９，ｒ１０、第３レンズ群Ｇ３の両凸正レンズＬ３１の両面ｒ１２，ｒ１３、第３レンズ群Ｇ３の接合レンズＳＵ３１の両凸正レンズＬ３４の像側の面ｒ１７、及び第５レンズ群Ｇ５の両凸正レンズＬ５１の両面ｒ２２，ｒ２２の７面である。
【０１０１】
図３は、実施例２のズームレンズの断面図である。
【０１０２】
３５ｍｍ判換算焦点距離で広角端が２４ｍｍ、変倍比が５倍程度の広角・高変倍ズームレンズである。
【０１０３】
実施例２のズームレンズは、図に示すように物体側から像側に順に、正屈折力の第１レンズ群Ｇ１、負屈折力の第２レンズ群Ｇ２、正屈折力の第３レンズ群Ｇ３、負屈折力の第４レンズ群Ｇ４、正屈折力の第５レンズ群Ｇ５にて構成されている。図中、Ｓは開口絞り、Ｉは像面、Ｃはカバーガラスを示している。
【０１０４】
第１レンズ群Ｇ１は、物体側から像側に順に、物体側に凸面を向けた負メニスカスレンズＬ１１と物体側に凸面を向けた正メニスカスレンズＬ１２の接合レンズＳＵ１１と、物体側に凸面を向けた正メニスカスレンズＬ１３と、からなる。
【０１０５】
第２レンズ群Ｇ２は、物体側に凸面を向けた負メニスカスレンズＬ２１と、両凹負レンズＬ２２と両凸正レンズＬ２３の接合レンズＳＵ２１と、両凸正レンズＬ２４と、からなる。
【０１０６】
第３レンズ群Ｇ３は、物体側から像側に順に、両凸正レンズＬ３１と、両凸正レンズＬ３２と両凹負レンズＬ３３と両凸正レンズＬ３４の接合レンズＳＵ３１と、からなる。
【０１０７】
第４レンズ群Ｇ４は、両凹負レンズＬ４１と物体側に凸面を向けた正メニスカスレンズＬ４２の接合レンズＳＵ４１からなる。
【０１０８】
第５レンズ群Ｇ５は、両凸正レンズＬ５１からなる。
【０１０９】
この実施例２のズームレンズの動作について説明する。ズーム動作において、第１レンズ群Ｇ１、開口絞りＳ、第５レンズ群Ｇ５は固定、第２レンズ群Ｇ２、第３レンズ群Ｇ３、第４レンズ群Ｇ４は独立して移動する。
【０１１０】
広角端から望遠端へと変倍する際には、第２レンズ群Ｇ２は、広角端から望遠端まで、第１レンズ群Ｇ１との間隔を広げ、絞りＳとの間隔を狭めながら像側へ移動する。第３レンズ群Ｇ３は、広角端から望遠端まで、絞りＳとの間隔を狭め、第４レンズ群Ｇ４との間隔を広げながら物体側へ移動する。第４レンズ群Ｇ４は、広角端から望遠端まで、第３レンズ群Ｇ３との間隔を広げ、第５レンズ群Ｇ５との間隔を広げながら物体側へ移動する。
【０１１１】
フォーカス動作、ウォブリング動作は、第４レンズ群Ｇ４にて行われる。無限から近距離へのフォーカスに際し、第４レンズ群Ｇ４は像側へ移動する。
【０１１２】
非球面は、第２レンズ群Ｇ２の両凸正レンズＬ２４の両面ｒ１１，ｒ１２、第３レンズ群Ｇ３の両凸正レンズＬ３１の両面ｒ１４，ｒ１５、第３レンズ群Ｇ３の接合レンズＳＵ３１の両凸正レンズＬ３４の像側の面ｒ１９、及び第５レンズ群Ｇ５の両凸正レンズＬ５１の両面ｒ２３，ｒ２４の７面である。
【０１１３】
図４は、実施例３のズームレンズの断面図である。
【０１１４】
３５ｍｍ判換算焦点距離で広角端が２４ｍｍ、変倍比が６倍程度の広角・高変倍ズームレンズである。
【０１１５】
実施例３のズームレンズは、図に示すように物体側から像側に順に、正屈折力の第１レンズ群Ｇ１、負屈折力の第２レンズ群Ｇ２、正屈折力の第３レンズ群Ｇ３、負屈折力の第４レンズ群Ｇ４、正屈折力の第５レンズ群Ｇ５にて構成されている。図中、Ｓは開口絞り、Ｉは像面、Ｃはカバーガラスを示している。
【０１１６】
第１レンズ群Ｇ１は、物体側から像側に順に、物体側に凸面を向けた負メニスカスレンズＬ１１と物体側に凸面を向けた正メニスカスレンズＬ１２の接合レンズＳＵ１１と、物体側に凸面を向けた正メニスカスレンズＬ１３と、からなる。
【０１１７】
第２レンズ群Ｇ２は、物体側から像側に順に、物体側に凸面を向けた負メニスカスレンズＬ２１と、両凹負レンズＬ２２と両凸正レンズＬ２３の接合レンズＳＵ２１と、像側に凸面を向けた正メニスカスレンズＬ２４と、からなる。
【０１１８】
第３レンズ群Ｇ３は、物体側から像側に順に、両凸正レンズＬ３１と、両凸正レンズＬ３２と両凹負レンズＬ３３の接合レンズＳＵ３１と、物体側に凸面を向けた負メニスカスレンズＬ３４と両凸正レンズＬ３５の接合レンズＳＵ３２と、からなる。
【０１１９】
第４レンズ群Ｇ４は、物体側に凸面を向けた負メニスカスレンズＬ４１と物体側に凸面を向けた正メニスカスレンズＬ４２の接合レンズＳＵ４１からなる。
【０１２０】
第５レンズ群Ｇ５は、両凸正レンズＬ５１からなる。
【０１２１】
この実施例３のズームレンズの動作について説明する。ズーム動作において、第１レンズ群Ｇ１、開口絞りＳ、第５レンズ群Ｇ５は固定、第２レンズ群Ｇ２、第３レンズ群Ｇ３、第４レンズ群Ｇ４は独立して移動する。
【０１２２】
広角端から望遠端へと変倍する際には、第２レンズ群Ｇ２は、広角端から望遠端まで、第１レンズ群Ｇ１との間隔を広げ、絞りＳとの間隔を狭めながら像側へ移動する。第３レンズ群Ｇ３は、広角端から望遠端まで、絞りＳとの間隔を狭め、第４レンズ群Ｇ４との間隔を広げながら物体側へ移動する。第４レンズ群Ｇ４は、広角端から望遠端まで、第３レンズ群Ｇ３との間隔を広げ、第５レンズ群Ｇ５との間隔を広げながら物体側へ移動する。
【０１２３】
フォーカス動作、ウォブリング動作は、第４レンズ群Ｇ４にて行われる。無限から近距離へのフォーカスに際し、第４レンズ群Ｇ４は像側へ移動する。
【０１２４】
非球面は、第２レンズ群Ｇ２の負メニスカスレンズＬ２１の像側の面ｒ７、第２レンズ群Ｇ２の正メニスカスレンズＬ２４の両面ｒ１２，ｒ１３、第３レンズ群Ｇ３の両凸正レンズＬ３１の両面ｒ１５，ｒ１６、第３レンズ群Ｇ３の接合レンズＳＵ３２の両凸正レンズＬ３５の像側の面ｒ２２、及び第５レンズ群Ｇ５の両凸正レンズＬ５１の両面ｒ２６，ｒ２７の８面である。
【０１２５】
図５は、実施例４のズームレンズの断面図である。
【０１２６】
３５ｍｍ判換算焦点距離で広角端が２４ｍｍ、変倍比が７倍程度の広角・高変倍ズームレンズである。
【０１２７】
実施例４のズームレンズは、図に示すように物体側から像側に順に、正屈折力の第１レンズ群Ｇ１、負屈折力の第２レンズ群Ｇ２、正屈折力の第３レンズ群Ｇ３、負屈折力の第４レンズ群Ｇ４、正屈折力の第５レンズ群Ｇ５にて構成されている。図中、Ｓは開口絞り、Ｉは像面、Ｃはカバーガラスを示している。
【０１２８】
第１レンズ群Ｇ１は、物体側から像側に順に、物体側に凸面を向けた負メニスカスレンズＬ１１と物体側に凸面を向けた正メニスカスレンズＬ１２の接合レンズＳＵ１１からなる。
【０１２９】
第２レンズ群Ｇ２は、物体側から像側に順に、物体側に凸面を向けた負メニスカスレンズＬ２１と、両凹負レンズＬ２２と両凸正レンズＬ２３の接合レンズＳＵ２１と、物体側に凸面を向けた正メニスカスレンズＬ２４と、からなる。
【０１３０】
第３レンズ群Ｇ３は、物体側から像側に順に、両凸正レンズＬ３１と、両凸正レンズＬ３２と両凹負レンズＬ３３と両凸正レンズＬ３４の接合レンズＳＵ３１と、からなる。
【０１３１】
第４レンズ群Ｇ４は、像側に凸面を向けた正メニスカスレンズＬ４１と両凹負レンズＬ４２の接合レンズＳＵ４１からなる。
【０１３２】
第５レンズ群Ｇ５は、両凸正レンズＬ５１と、両凹負レンズＬ５２と、からなる。
【０１３３】
この実施例４のズームレンズの動作について説明する。ズーム動作において、第１レンズ群Ｇ１、開口絞りＳ、第５レンズ群Ｇ５は固定、第２レンズ群Ｇ２、第３レンズ群Ｇ３、第４レンズ群Ｇ４は独立して移動する。
【０１３４】
広角端から望遠端へと変倍する際には、第２レンズ群Ｇ２は、広角端から望遠端まで、第１レンズ群Ｇ１との間隔を広げ、絞りＳとの間隔を狭めながら像側へ移動する。第３レンズ群Ｇ３は、広角端から望遠端まで、絞りＳとの間隔を狭め、第４レンズ群Ｇ４との間隔を広げながら物体側へ移動する。第４レンズ群Ｇ４は、広角端から中間状態まで、第３レンズ群Ｇ３との間隔を広げ、第５レンズ群Ｇ５との間隔を広げながら物体側へ移動し、中間状態から望遠端まで、第３レンズ群Ｇ３との間隔を広げ、第５レンズ群Ｇ５との間隔を狭め、像側へ移動する。
【０１３５】
フォーカス動作、ウォブリング動作は、第４レンズ群Ｇ４にて行われる。無限から近距離へのフォーカスに際し、第４レンズ群Ｇ４は像側へ移動する。
【０１３６】
非球面は、第２レンズ群Ｇ２の正メニスカスレンズＬ２４の両面ｒ９，ｒ１０、第３レンズ群Ｇ３の最も物体側の両凸正レンズＬ３１の両面ｒ１２，ｒ１３、第３レンズ群Ｇ３の接合レンズＳＵ３１の最も像側の両凸正レンズＬ３４の像側の面ｒ１７、第４レンズ群Ｇ４の接合レンズＳＵ４１の両凹負レンズＬ４２の像側の面ｒ２０、及び第５レンズ群Ｇ５の両凸正レンズＬ５１の両面ｒ２１，ｒ２２の８面である。
【０１３７】
図６は、実施例５のズームレンズの断面図である。
【０１３８】
３５ｍｍ判換算焦点距離で広角端が２４ｍｍ、変倍比が８倍程度の広角・高変倍ズームレンズである。
【０１３９】
実施例５のズームレンズは、図に示すように物体側から像側に順に、正屈折力の第１レンズ群Ｇ１、負屈折力の第２レンズ群Ｇ２、正屈折力の第３レンズ群Ｇ３、負屈折力の第４レンズ群Ｇ４、正屈折力の第５レンズ群Ｇ５にて構成されている。図中、Ｓは開口絞り、Ｉは像面、Ｃはカバーガラスを示している。
【０１４０】
第１レンズ群Ｇ１は、物体側から像側に順に、物体側に凸面を向けた負メニスカスレンズＬ１１と物体側に凸面を向けた正メニスカスレンズＬ１２の接合レンズＳＵ１１からなる。
【０１４１】
第２レンズ群Ｇ２は、物体側から像側に順に、物体側に凸面を向けた負メニスカスレンズＬ２１と、両凹負レンズＬ２２と両凸正レンズＬ２３の接合レンズＳＵ２１と、物体側に凸面を向けた正メニスカスレンズＬ２４と、からなる。
【０１４２】
第３レンズ群Ｇ３は、物体側から像側に順に、両凸正レンズＬ３１と、両凸正レンズＬ３２と、両凹負レンズＬ３３と両凸正レンズＬ３４の接合レンズＳＵ３１と、からなる。
【０１４３】
第４レンズ群Ｇ４は、像側に凸面を向けた正メニスカスレンズＬ４１と両凹負レンズＬ４２の接合レンズＳＵ４１からなる。
【０１４４】
第５レンズ群Ｇ５は、両凸正レンズＬ５１と、両凹負レンズＬ５２と、からなる。
【０１４５】
この実施例５のズームレンズの動作について説明する。ズーム動作において、第１レンズ群Ｇ１、開口絞りＳ、第５レンズ群Ｇ５は固定、第２レンズ群Ｇ２、第３レンズ群Ｇ３、第４レンズ群Ｇ４は独立して移動する。
【０１４６】
広角端から望遠端へと変倍する際には、第２レンズ群Ｇ２は、広角端から望遠端まで、第１レンズ群Ｇ１との間隔を広げ、絞りＳとの間隔を狭めながら像側へ移動する。第３レンズ群Ｇ３は、広角端から望遠端まで、絞りＳとの間隔を狭め、第４レンズ群Ｇ４との間隔を広げながら物体側へ移動する。第４レンズ群Ｇ４は、広角端から望遠端まで、第３レンズ群Ｇ３との間隔を広げ、第５レンズ群Ｇ５との間隔を広げながら物体側へ移動する。
【０１４７】
フォーカス動作、ウォブリング動作は、第４レンズ群Ｇ４にて行われる。無限から近距離へのフォーカスに際し、第４レンズ群Ｇ４は像側へ移動する。
【０１４８】
非球面は、第２レンズ群Ｇ２の正メニスカスレンズＬ２４の両面ｒ９，ｒ１０、第３レンズ群Ｇ３の最も物体側の両凸正レンズＬ３１の両面ｒ１２，ｒ１３、第３レンズ群Ｇ３の接合レンズＳＵ３１の最も像側の両凸正レンズＬ３４の像側の面ｒ１８、第４レンズ群Ｇ４の接合レンズＳＵ４１の両凹負レンズＬ４２の像側の面ｒ２１、及び第５レンズ群Ｇ５の両凸正レンズＬ５１の両面ｒ２２，ｒ２３の８面である。
【０１４９】
図７は、実施例６のズームレンズの断面図である。
【０１５０】
３５ｍｍ判換算焦点距離で広角端が２４ｍｍ、変倍比が１０倍程度の広角・高変倍ズームレンズである。
【０１５１】
実施例６のズームレンズは、図に示すように物体側から像側に順に、正屈折力の第１レンズ群Ｇ１、負屈折力の第２レンズ群Ｇ２、正屈折力の第３レンズ群Ｇ３、負屈折力の第４レンズ群Ｇ４、正屈折力の第５レンズ群Ｇ５にて構成されている。図中、Ｓは開口絞り、Ｉは像面、Ｃはカバーガラスを示している。
【０１５２】
第１レンズ群Ｇ１は、物体側から像側に順に、物体側に凸面を向けた負メニスカスレンズＬ１１と物体側に凸面を向けた正メニスカスレンズＬ１２の接合レンズＳＵ１１からなる。
【０１５３】
第２レンズ群Ｇ２は、物体側から像側に順に、物体側に凸面を向けた負メニスカスレンズＬ２１と、両凹負レンズＬ２２と、両凸正レンズＬ２３と像側に凸面を向けた負メニスカスレンズＬ２４の接合レンズＳＵ２１と、からなる。
【０１５４】
第３レンズ群Ｇ３は、物体側から像側に順に、両凸正レンズＬ３１と、両凸正レンズＬ３２と両凹負レンズＬ３３と両凸正レンズＬ３４の接合レンズＳＵ３１と、からなる。
【０１５５】
第４レンズ群Ｇ４は、物体側に凸面を向けた負メニスカスレンズＬ４１と物体側に凸面を向けた正メニスカスレンズＬ４２の接合レンズＳＵ４１からなる。
【０１５６】
第５レンズ群Ｇ５は、両凸正レンズＬ５１からなる。
【０１５７】
この実施例６のズームレンズの動作について説明する。ズーム動作において、第１レンズ群Ｇ１、開口絞りＳ、第５レンズ群Ｇ５は固定、第２レンズ群Ｇ２、第３レンズ群Ｇ３、第４レンズ群Ｇ４は独立して移動する。
【０１５８】
広角端から望遠端へと変倍する際には、第２レンズ群Ｇ２は、広角端から望遠端まで、第１レンズ群Ｇ１との間隔を広げ、絞りＳとの間隔を狭めながら像側へ移動する。第３レンズ群Ｇ３は、広角端から望遠端まで、絞りＳとの間隔を狭め、第４レンズ群Ｇ４との間隔を広げながら物体側へ移動する。第４レンズ群Ｇ４は、広角端から望遠端まで、第３レンズ群Ｇ３との間隔を広げ、第５レンズ群Ｇ５との間隔を広げながら物体側へ移動する。
【０１５９】
フォーカス動作、ウォブリング動作は、第４レンズ群Ｇ４にて行われる。無限から近距離へのフォーカスに際し、第４レンズ群Ｇ４は像側へ移動する。
【０１６０】
非球面は、第２レンズ群Ｇ２の両凹負レンズＬ２２の両面ｒ６，ｒ７、第３レンズ群Ｇ３の最も物体側の両凸正レンズＬ３１の両面ｒ１３，ｒ１４、第３レンズ群Ｇ３の接合レンズＳＵ３１の最も像側の両凸正レンズＬ３４の像側の面ｒ１８、及び第５レンズ群Ｇ５の両凸正レンズＬ５１の両面ｒ２２，ｒ２３の７面である。
【０１６１】
図８は、実施例７のズームレンズの断面図である。
【０１６２】
３５ｍｍ判換算焦点距離で広角端が２８ｍｍ、変倍比が５倍程度の広角・高変倍ズームレンズである。
【０１６３】
実施例７のズームレンズは、図に示すように物体側から像側に順に、正屈折力の第１レンズ群Ｇ１、負屈折力の第２レンズ群Ｇ２、正屈折力の第３レンズ群Ｇ３、負屈折力の第４レンズ群Ｇ４、正屈折力の第５レンズ群Ｇ５にて構成されている。図中、Ｓは開口絞り、Ｉは像面、Ｃはカバーガラスを示している。
【０１６４】
第１レンズ群Ｇ１は、物体側から像側に順に、物体側に凸面を向けた負メニスカスレンズＬ１１と物体側に凸面を向けた正メニスカスレンズＬ１２の接合レンズＳＵ１１からなる。
【０１６５】
第２レンズ群Ｇ２は、物体側から像側に順に、物体側に凸面を向けた負メニスカスレンズＬ２１と、両凹負レンズＬ２２と両凸正レンズＬ２３の接合レンズＳＵ２１と、物体側に凸面を向けた正メニスカスレンズＬ２４と、からなる。
【０１６６】
第３レンズ群Ｇ３は、物体側から像側に順に、両凸正レンズＬ３１と、両凸正レンズＬ３２と両凹負レンズＬ３３の接合レンズＳＵ３１と、物体側に凸面を向けた負メニスカスレンズＬ３４と両凸正レンズＬ３５の接合レンズＳＵ３２と、からなる。
【０１６７】
第４レンズ群Ｇ４は、物体側に凸面を向けた負メニスカスレンズＬ４１と物体側に凸面を向けた正メニスカスレンズＬ４２の接合レンズＳＵ４１からなる。
【０１６８】
第５レンズ群Ｇ５は、物体側に凸面を向けた正メニスカスレンズＬ５１からなる。
【０１６９】
この実施例７のズームレンズの動作について説明する。ズーム動作において、第１レンズ群Ｇ１、開口絞りＳ、第５レンズ群Ｇ５は固定、第２レンズ群Ｇ２、第３レンズ群Ｇ３、第４レンズ群Ｇ４は独立して移動する。
【０１７０】
広角端から望遠端へと変倍する際には、第２レンズ群Ｇ２は、広角端から望遠端まで、第１レンズ群Ｇ１との間隔を広げ、絞りＳとの間隔を狭めながら像側へ移動する。第３レンズ群Ｇ３は、広角端から望遠端まで、絞りＳとの間隔を狭め、第４レンズ群Ｇ４との間隔を広げながら物体側へ移動する。第４レンズ群Ｇ４は、広角端から望遠端まで、第３レンズ群Ｇ３との間隔を広げ、第５レンズ群Ｇ５との間隔を広げながら物体側へ移動する。
【０１７１】
フォーカス動作、ウォブリング動作は、第４レンズ群Ｇ４にて行われる。無限から近距離へのフォーカスに際し、第４レンズ群Ｇ４は像側へ移動する。
【０１７２】
非球面は、第２レンズ群Ｇ２の正メニスカスレンズＬ２４の両面ｒ９，ｒ１０、第３レンズ群Ｇ３の最も物体側の両凸正レンズＬ３１の両面ｒ１２，ｒ１３、及び第３レンズ群Ｇ３の像側の接合レンズＳＵ３２の両凸正レンズＬ３４の像側の面ｒ１９の５面である。
【０１７３】
以下に上記実施例１〜実施例７の各種数値データ（面データ、非球面データ、可変間隔データ、各種データ１、各種データ２）を示す。
【０１７４】
面データには、面番号毎に各レンズ面（光学面）の曲率半径ｒ、面間隔ｄ、各レンズ（光学媒質）のｄ線（５８７．６ｎｍ）に対する屈折率ｎｄ、各レンズ（光学媒質）のｄ線のアッベ数νｄが示されている。曲率半径ｒ、面間隔ｄの単位はいずれもミリメートル（ｍｍ）である。面データ中、曲率半径に記載する“∞”は、無限大であることを示している。
【０１７５】
非球面データには、面データ中、非球面形状としたレンズ面に関するデータが示されている。非球面形状は、ｘを光の進行方向を正とした光軸とし、ｙを光軸と直交する方向にとると下記の式にて表される。
ｘ＝（ｙ2／ｒ）／［１＋｛１−（１＋Ｋ）・（ｙ／ｒ）2｝1/2］
＋Ａ4ｙ4＋Ａ6ｙ6＋Ａ8ｙ8＋Ａ10ｙ10…
【０１７６】
ただし、ｒは近軸曲率半径、Ｋは円錐係数、Ａ4、Ａ6、Ａ8、Ａ10はそれぞれ４次、６次、８次、１０次の非球面係数である。なお、記号“Ｅ”は、それに続く数値が１０を底にもつ、べき指数であることを示している。例えば「１．０Ｅ−５」は「１．０×１０-5」であることを意味している。
【０１７７】
各種データ１には、広角端（ＷＥ）、中間（ＳＴ）、望遠端（ＴＥ）における各種ズームデータが示されている。ズームデータとしては、焦点距離、Ｆナンバー（Ｆno）、画角（２ω）、像高、バックフォーカス（ＢＦ）、可変する面間隔ｄが示されている。各種データ２には、第１〜第５レンズ群における焦点距離ｆ１〜ｆ５が示されている。
【０１７８】
数値実施例１
面番号             ｒ          ｄ        ｎｄ      νｄ
1                56.912      1.40     1.84666    23.78
2                45.147      6.69     1.72916    54.68
3               283.392      D3（可変）
4               111.625      1.20     1.83481    42.71
5                13.602      8.52
6               -34.083      1.10     1.78800    47.37
7                28.705      5.46     1.84666    23.78
8              -132.078      0.10
9(非球面)        82.320      2.98     1.52542    55.78
10(非球面)      -127.407      D10（可変）
11(絞り)           ∞         D11（可変）
12(非球面)        14.782      4.64     1.49700    81.54
13(非球面)       -58.889      0.10
14                16.190      4.52     1.51633    64.14
15               -71.730      1.35     1.88300    40.76
16                10.334      4.77     1.49700    81.54
17(非球面)       -26.510      D17（可変）
18              -589.551      1.00     1.80400    46.57
19                 9.438      2.06     1.84666    23.78
20                13.756      D20（可変）
21(非球面)        30.356      3.90     1.51633    64.14
22(非球面)       -70.714     13.40
23                 ∞         4.00     1.51633    64.14
24                 ∞         0.8
像面               ∞
非球面係数
第９面
K=0.000,A4=4.81480E-05,A6=-9.50101E-08,A8=3.10123E-09,A10=-1.06248E-11
第１０面
K=0.000,A4=3.17860E-05,A6=-5.95034E-08,A8=3.20925E-09,A10=-1.28394E-11
第１２面
K=0.000,A4=-2.14397E-05,A6=3.59448E-07,A8=-7.60025E-09,A10=5.16822E-11
第１３面
K=0.000,A4=1.62633E-05,A6=4.03049E-07,A8=-9.70801E-09,A10=6.87773E-11
第１７面
K=0.000,A4=6.31351E-05,A6=4.29315E-07,A8=1.99802E-10,A10=6.12862E-11
第２１面
K=0.000,A4=3.73857E-05,A6=-2.93542E-07,A8=1.94813E-09,A10=-1.45331E-11
第２２面
K=0.000,A4=3.31689E-05,A6=-3.17518E-07,A8=1.80831E-09,A10=-1.49415E-11
各種データ１
ズームデータ
ＷＥ        ＳＴ        ＴＥ
焦点距離               12.24       26.80       59.00
ＦＮＯ．                4.01        4.86        5.73
画角２ω（゜）         88.94       43.60       20.58
像高                   10.82       10.82       10.82
D3                      0.80       16.31       26.27
D10                    26.47       10.96        1.00
D11                    20.11       10.70        1.00
D17                     1.80        4.15       10.07
D20                     2.17        9.23       13.01
fb (in air)            16.84       16.84       16.84
全長 (in air)         117.98      117.98      117.98
各種データ２
ｆ１       101.20
ｆ２       -18.57
ｆ３        19.33
ｆ４       -17.18
ｆ５        41.68
【０１７９】
数値実施例２
面番号             ｒ          ｄ        ｎｄ      νｄ
1                96.811      1.40     1.84666    23.78
2                69.422      4.11     1.72916    54.68
3               222.222      0.10
4                73.312      3.45     1.72916    54.68
5               191.343      D5（可変）
6               113.125      1.20     1.81600    46.62
7                13.921      8.22
8               -28.374      1.10     1.72916    54.68
9                28.382      4.92     1.80518    25.46
10              -135.911      0.10
11(非球面)       144.647      2.65     1.52542    55.78
12(非球面)       -87.751      D12（可変）
13(絞り)           ∞         D13（可変）
14(非球面)        14.208      5.57     1.49700    81.54
15(非球面)       -42.724      0.10
16                18.612      3.77     1.51633    64.14
17               -40.104      1.30     1.88300    40.76
18                11.879      4.99     1.49700    81.54
19(非球面)       -21.633      D19（可変）
20             -1106.045      1.00     1.80400    46.57
21                 8.798      2.33     1.84666    23.78
22                12.922      D22（可変）
23(非球面)        33.845      3.91     1.51633    64.14
24(非球面)       -64.911     13.56
25                 ∞         4.00     1.51633    64.14
26                 ∞         0.80 
像面               ∞
非球面係数
第１１面
K=0.000,A4=3.49846E-05,A6=-3.03078E-07,A8=3.21587E-09,A10=-7.90949E-12
第１２面
K=0.000,A4=2.13323E-05,A6=-2.67929E-07,A8=3.30300E-09,A10=-8.69171E-12
第１４面
K=0.000,A4=-2.54966E-05,A6=3.51889E-07,A8=-5.57102E-09,A10=4.09869E-11
第１５面
K=0.000,A4=3.29900E-05,A6=3.99726E-07,A8=-7.40841E-09,A10=5.40404E-11
第１９面
K=0.000,A4=4.76112E-05,A6=5.89293E-07,A8=-6.95406E-09,A10=1.44104E-10
第２３面
K=0.000,A4=2.70587E-05,A6=2.77038E-09,A8=1.11660E-10,A10=-1.28052E-11
第２４面
K=0.000,A4=1.62176E-05,A6=-9.35316E-08,A8=1.26777E-09,A10=-1.90964E-11
各種データ１
ズームデータ
ＷＥ        ＳＴ        ＴＥ
焦点距離               12.24       26.80       59.00
ＦＮＯ．                4.02        4.86        5.73
画角２ω（゜）         88.95       43.81       20.61
像高                   10.82       10.82       10.82
D5                      0.80       15.09       25.4 
D12                    25.6        11.31        1.00
D13                    19.74        9.81        1.01
D19                     1.80        4.13       10.26
D22                     2.42       10.02       12.69
fb (in air)            17.00       17.00       17.00
全長 (in air)         117.58      117.58      117.58
各種データ２
ｆ１       100.48
ｆ２       -17.74
ｆ３        18.73
ｆ４       -16.37
ｆ５        43.67
【０１８０】
数値実施例３
面番号             ｒ          ｄ        ｎｄ      νｄ
1               146.544      2.00     1.84666    23.78
2                76.041      5.46     1.72916    54.68
3               512.855      0.20
4                40.028      5.44     1.72916    54.68
5                97.078      D5（可変）
6                94.407      1.00     1.83481    42.71
7(非球面)        12.244      8.11
8               -22.355      1.00     1.80400    46.57
9                37.360      0.00
10                37.386      4.32     1.84666    23.78
11               -46.164      0.25
12(非球面)       -53.373      3.07     1.52542    55.78
13(非球面)       -30.818      D13（可変）
14(絞り)           ∞         D14（可変）
15(非球面)        20.113      4.67     1.49700    81.54
16(非球面)       -59.154      0.21
17                14.508      6.37     1.48749    70.23
18               -34.435      1.00     1.80400    46.57
19               345.953      0.20
20                84.143      0.80     1.80100    34.97
21                10.618      4.51     1.49700    81.54
22(非球面)       -47.543      D22（可変）
23              4726.944      1.00     1.88300    40.76
24                 9.428      3.21     1.84666    23.78
25                17.732      D25（可変）
26(非球面)        28.620      5.30     1.51633    64.14
27(非球面)       -80.851     11.60
28                 ∞         4.00     1.51633    64.14
29                 ∞         0.80 
像面               ∞
非球面係数
第７面
K=-0.209,A4=1.28579E-05,A6=6.33708E-08,A8=9.42400E-10,A10=-4.73717E-13
第１２面
K=0.000,A4=-4.46566E-06,A6=1.16292E-07,A8=-6.99502E-09,A10=2.78931E-11
第１３面
K=0.000,A4=-1.95000E-05,A6=3.33135E-08,A8=-4.19987E-09,A10=1.82943E-11
第１５面
K=0.000,A4=2.14836E-06,A6=5.12283E-08,A8=3.70343E-10,A10=1.14231E-11
第１６面
K=0.000,A4=1.12620E-05,A6=3.57185E-08,A8=-1.27090E-09,A10=2.71225E-11
第２２面
K=0.000,A4=8.85246E-05,A6=5.51461E-07,A8=-4.27979E-10,A10=1.16911E-11
第２６面
K=0.000,A4=1.10749E-05,A6=2.96257E-07,A8=1.27906E-09,A10=2.53195E-12
第２７面
K=0.000,A4=1.42208E-05,A6=1.11588E-07,A8=1.91604E-09,A10=1.67268E-11
各種データ１
ズームデータ
ＷＥ        ＳＴ        ＴＥ
焦点距離               12.24       29.39       70.56
ＦＮＯ．                4.08        4.85        5.77
画角２ω（゜）         90.29       40.06       17.08
像高                   10.82       10.82       10.82
D5                      0.20       14.34       23.11
D13                    23.11        8.97        0.20
D14                    19.83       10.53        0.20
D22                     0.99        3.71       10.55
D25                     1.91        8.49       11.98
fb (in air)            15.04       15.04       15.04
全長 (in air)         119.18      119.18      119.18
各種データ２
ｆ１        72.33
ｆ２       -16.38
ｆ３        20.10
ｆ４       -19.34
ｆ５        41.62
【０１８１】
数値実施例４
面番号             ｒ          ｄ        ｎｄ      νｄ
1                55.076      1.40     1.84666    23.78
2                35.547      6.68     1.80400    46.57
3               170.821      D3（可変）
4               107.113      1.20     1.88300    40.76
5                14.000      8.48
6               -68.521      1.10     1.88300    40.76
7                20.873      5.80     1.84666    23.78
8               -99.606      0.10
9(非球面)       551.574      2.80     1.73310    48.90
10(非球面)      2584.679      D10（可変）
11(絞り)           ∞         D11（可変）
12(非球面)        16.970      5.07     1.49700    81.54
13(非球面)       -44.281      0.33
14                21.450      3.67     1.51633    64.14
15              -161.750      1.80     1.88300    40.76
16                11.765      6.30     1.49700    81.54
17(非球面)       -21.113      D17（可変）
18              -392.081      2.40     1.84666    23.78
19               -17.145      1.00     1.76802    49.24
20(非球面)        13.049      D20（可変）
21(非球面)        21.911      7.24     1.58913    61.25
22(非球面)       -16.189      0.10
23               -22.665      1.60     1.91082    35.25
24               109.965     13.70
25                 ∞         4.00     1.51633    64.14
26                 ∞         0.80 
像面               ∞
非球面係数
第９面
K=0.000,A4=5.66744E-08,A6=-1.13783E-08,A8=9.08541E-10,A10=-6.23873E-12,A12=1.37746E-14
第１０面
K=0.000,A4=-1.26421E-05,A6=-5.69417E-08,A8=1.14139E-09,A10=-8.18677E-12,A12=1.66328E-14
第１２面
K=0.000,A4=-2.67354E-05,A6=3.67269E-07,A8=-6.65269E-09,A10=5.50236E-11,A12=-1.54305E-13
第１３面
K=0.000,A4=2.06837E-05,A6=5.53783E-07,A8=-9.88399E-09,A10=8.14377E-11,A12=-2.27579E-13
第１７面
K=0.000,A4=1.78718E-05,A6=-3.57782E-07,A8=7.19229E-09,A10=-5.40603E-11
第２０面
K=0.000,A4=-4.67726E-06,A6=3.78195E-07,A8=-1.15641E-08,A10=7.88096E-11
第２１面
K=0.000,A4=1.83991E-06,A6=2.19003E-07,A8=-3.50794E-09,A10=4.37525E-11,A12=-2.07999E-13
第２２面
K=0.000,A4=3.44691E-05,A6=7.33532E-08,A8=1.00896E-09,A10=6.33402E-12,A12=-8.66586E-14
各種データ１
ズームデータ
ＷＥ        ＳＴ        ＴＥ
焦点距離               12.24       30.00       81.99
ＦＮＯ．                4.04        4.98        5.76
画角２ω（゜）         88.91       40.54       14.95
像高                   10.82       10.82       10.82
D3                      0.80       17.09       32.78
D10                    32.98       16.69        1.00
D11                    24.00       10.09        1.01
D17                     1.80        4.63       14.17
D20                     3.14       14.22       13.76
fb (in air)            17.14       17.14       17.14
全長 (in air)         136.92      136.92      136.92
各種データ２
ｆ１       102.23
ｆ２       -16.86
ｆ３        20.36
ｆ４       -17.70
ｆ５        59.74
【０１８２】
数値実施例５
面番号             ｒ          ｄ        ｎｄ      νｄ
1                55.126      1.40     1.84666    23.78
2                35.205      6.86     1.77250    49.62
3               228.211      D3（可変）
4               136.896      1.20     1.88300    40.76
5                14.538      8.27
6               -58.783      1.10     1.88300    40.76
7                20.768      5.76     1.84666    23.78
8              -110.576      0.10
9(非球面)        89.717      2.80     1.51633    64.14
10(非球面)       223.023      D10（可変）
11(絞り)           ∞         D11（可変）
12(非球面)        18.085      4.91     1.49700    81.54
13(非球面)       -54.894      0.10
14                22.416      4.36     1.57099    50.80
15               -50.776      0.49
16               -79.214      1.10     1.88300    40.76
17                11.037      8.00     1.49700    81.54
18(非球面)       -21.647      D18（可変）
19              -254.499      2.12     1.84666    23.78
20               -20.128      1.00     1.76802    49.24
21(非球面)        12.987      D21（可変）
22(非球面)        20.490      7.80     1.58913    61.25
23(非球面)       -14.847      0.10
24               -21.609      2.00     1.91082    35.25
25                85.870     13.76
26                 ∞         4.00     1.51633    64.14
27                 ∞         0.80 
像面               ∞
非球面係数
第９面
K=0.000,A4=-1.83811E-06,A6=6.23413E-08,A8=6.21338E-10,A10=-7.56630E-12,A12=2.73135E-14
第１０面
K=0.000,A4=-1.75480E-05,A6=1.60252E-08,A8=8.00977E-10,A10=-8.44040E-12,A12=2.80324E-14
第１２面
K=0.000,A4=-2.66818E-05,A6=3.79005E-07,A8=-7.20215E-09,A10=5.48453E-11,A12=-1.14768E-13
第１３面
K=0.000,A4=1.68285E-05,A6=5.34111E-07,A8=-9.18940E-09,A10=6.93287E-11,A12=-1.37197E-13
第１８面
K=0.000,A4=9.98745E-06,A6=-4.82176E-07,A8=7.97302E-09,A10=-7.66033E-11
第２１面
K=0.000,A4=-1.23603E-05,A6=2.12617E-07,A8=-1.02960E-08,A10=7.54788E-11
第２２面
K=0.000,A4=1.16070E-05,A6=1.60956E-07,A8=-1.95449E-09,A10=1.93458E-11,A12=-4.17072E-14
第２３面
K=0.000,A4=6.75676E-05,A6=2.36415E-07,A8=-2.37286E-09,A10=3.13555E-11,A12=-1.01627E-13
各種データ１
ズームデータ
ＷＥ        ＳＴ        ＴＥ
焦点距離               12.24       28.00       94.00
ＦＮＯ．                4.04        5.02        5.80
画角２ω（゜）         88.91       43.00       13.04
像高                   10.82       10.82       10.82
D3                      0.80       14.64       33.06
D10                    33.26       19.42        1.00
D11                    29.02       13.51        1.00
D18                     1.80        4.33       16.10
D21                     2.02       15.00       15.74
fb (in air)            17.19       17.19       17.19
全長 (in air)         143.56      143.56      143.56
各種データ２
ｆ１        98.96
ｆ２       -16.86
ｆ３        21.39
ｆ４       -17.02
ｆ５        55.09
【０１８３】
数値実施例６
面番号             ｒ          ｄ        ｎｄ      νｄ
1                52.938      2.00     1.84666    23.78
2                35.397      8.74     1.72916    54.68
3               205.359      D3（可変）
4               252.878      1.50     1.88300    40.76
5                20.151      8.11
6(非球面)       -81.470      1.50     1.69350    53.21
7(非球面)        59.489      0.15
8                47.395      7.27     1.76182    26.52
9               -38.211      0.28
10               -35.347      1.50     1.77250    49.60
11               357.963      D11（可変）
12(絞り)           ∞         D12（可変）
13(非球面)        18.627      6.68     1.49700    81.54
14(非球面)       -30.289      3.95
15                57.730      6.11     1.48749    70.23
16               -49.426      1.00     1.90366    31.32
17               243.572      2.56     1.49700    81.54
18(非球面)       -41.942      D18（可変）
19               104.757      1.00     1.91082    35.25
20                 9.389      4.63     1.59270    35.31
21                17.696      D21（可変）
22(非球面)        37.781      3.32     1.58313    59.38
23(非球面)      -190.868     11.10
24                 ∞         4.00     1.51633    64.14
25                 ∞         0.80 
像面               ∞
非球面係数
第６面
K=0.000,A4=4.44432E-07,A6=7.90512E-09,A8=2.85908E-10,A10=-9.77275E-13 
第７面
K=0.000,A4=-2.62226E-06,A6=1.25820E-08,A8=1.91134E-10,A10=-9.50203E-13
第１３面
K=0.000,A4=-2.98636E-05,A6=6.07607E-08
第１４面
K=0.000,A4=1.57106E-05,A6=7.51891E-08
第１８面
K=0.000,A4=4.34138E-06,A6=5.23615E-08
第２２面
K=0.000,A4=7.48893E-05,A6=-1.77938E-08,A8=-6.79378E-10,A10=4.31753E-12
第２３面
K=0.000,A4=7.96726E-05,A6=-8.31628E-08,A8=-6.12256E-10,A10=3.70887E-12
各種データ１
ズームデータ
ＷＥ        ＳＴ        ＴＥ
焦点距離               12.30       37.80      118.18
ＦＮＯ．                4.08        5.00        5.77
画角２ω（゜）         90.02       32.22       10.36
像高                   10.82       10.82       10.82
D3                      0.80       22.41       40.18
D11                    41.22       19.61        1.84
D12                    28.08       12.56        1.00
D18                     1.81        3.73       11.47
D21                     2.50       16.10       19.92
fb (in air)            14.54       14.54       14.54
全長 (in air)         149.25      149.25      149.25
各種データ２
ｆ１       105.59
ｆ２       -19.29
ｆ３        21.25
ｆ４       -16.44
ｆ５        54.38
【０１８４】
数値実施例７
面番号             ｒ          ｄ        ｎｄ      νｄ
1                40.263      1.29     1.84666    23.78
2                29.746      7.31     1.72916    54.68
3               278.129      D3（可変）
4               139.796      1.00     1.83481    42.71
5                11.899      7.85
6               -22.609      1.00     1.80400    46.57
7                34.548      4.38     1.74077    27.76
8               -30.972      0.10
9(非球面)        39.907      3.50     1.52542    55.78
10(非球面)       145.451      D10（可変）
11(絞り)           ∞         D11（可変）
12(非球面)        17.180      5.13     1.49700    81.54
13(非球面)       -72.135      0.10
14                15.472      6.24     1.48749    70.23
15               -23.128      1.00     1.80400    46.57
16                28.796      0.70
17                56.670      1.10     1.80100    34.97
18                15.718      3.73     1.49700    81.54
19(非球面)       -20.851      D19（可変）
20               131.499      1.97     1.88300    40.76
21                10.251      2.14     1.84666    23.78
22                16.659      D22（可変）
23                20.439      4.00     1.51633    64.14
24                90.202     13.08
25                 ∞         4.00     1.51633    64.14
26                 ∞         0.80 
像面               ∞
非球面係数
第９面
K=0.000,A4=5.76601E-05,A6=-9.05864E-08,A8=5.31964E-09,A10=-2.59807E-11
第１０面
K=0.000,A4=3.74443E-05,A6=-7.75028E-08,A8=6.59071E-09,A10=-3.83533E-11
第１２面
K=0.000,A4=7.48908E-06,A6=4.86350E-07,A8=-7.01907E-09,A10=5.98610E-11
第１３面
K=0.000,A4=2.45836E-05,A6=5.59914E-07,A8=-1.07754E-08,A10=8.59302E-11
第１９面
K=0.000,A4=8.78207E-05,A6=1.93554E-07,A8=9.40918E-09,A10=-1.77144E-11
各種データ１
ズームデータ
ＷＥ        ＳＴ        ＴＥ
焦点距離               14.35       31.00       68.60
ＦＮＯ．                3.93        4.81        5.75
画角２ω（゜）         79.81       37.66       17.77
像高                   10.82       10.82       10.82
D3                      0.81       13.92       21.27
D10                    21.65        8.54        1.00
D11                    19.40       12.06        1.00
D19                     1.80        4.16        9.29
D22                     2.37        7.35       13.28
fb (in air)            16.51       16.51       16.51
全長 (in air)         115.07      115.07      115.07
各種データ２
ｆ１        67.83
ｆ２       -17.24
ｆ３        21.53
ｆ４       -21.24
ｆ５        50.20
【０１８５】
図９、図１１、図１３、図１５、図１７、図１９、図２１は、実施例１〜実施例７における（ａ）広角端（ＷＥ）、（ｂ）中間（ＳＴ）、（ｃ）望遠端（ＴＥ）での無限物点における諸収差図である。また、図１０、図１２、図１４、図１６、図１８、図２０、図２２は、実施例１〜実施例７における（ａ）広角端（ＷＥ）、（ｂ）中間（ＳＴ）、（ｃ）望遠端（ＴＥ）での近距離撮影距離における諸収差図である。
【０１８６】
図１０、図１２は、実施例１、実施例２の撮影距離０．３ｍにおける諸収差図である。図１４は、実施例３の撮影距離０．３５ｍにおける諸収差図である。図１６は、実施例４の撮影距離０．４ｍにおける諸収差図である。図１８は、実施例５の撮影距離０．４５ｍにおける諸収差図である。図２０は、実施例６の撮影距離０．５ｍにおける諸収差図である。図２２は、実施例７の撮影距離０．３ｍにおける諸収差図である。
【０１８７】
これら諸収差図において、ＳＡは球面収差、ＡＳは非点収差、ＤＴは歪曲収差、ＣＣは倍率色収差を示す。球面収差ＳＡは、５８７．６ｎｍ（ｄ線：実線）、４３５．８ｎｍ（ｇ線：破線）、６５６．３ｎｍ（Ｃ線：点線）の各波長について示されている。また、倍率色収差ＣＣは、ｄ線を基準としたときの４３５．８ｎｍ（ｇ線：破線）、６５６．３ｎｍ（Ｃ線：点線）の各波長について示されている。また、非点収差ＤＴは、実線がサジタル像面、破線がメリジオナル像面のものを示している。なお、ＦＮＯはＦナンバーを、ＦＩＹは最大像高を示す。
【０１８８】
上記実施例１〜７について、各条件式（１）〜（６）の値を下記に示しておく。
【０１８９】
実施例１       実施例２        実施例３        実施例４
条件式（１）       -0.170         -0.163          -0.267          -0.173
条件式（２）        0.080          0.094           0.084           0.096
条件式（３）        0.062          0.070           0.064           0.068
条件式（４）        0.418          0.498           0.737           0.415
条件式（５）        0.080          0.090           0.181           0.079
条件式（６）        9.35           9.30            9.63           11.07
条件式（７）        2.08           2.01            1.87            2.61 
条件式（Ａ）       10.82          10.82           10.82           10.82 
【０１９０】
実施例５        実施例６        実施例７
条件式（１）      -0.172         -0.156          -0.313
条件式（２）       0.123          0.237           0.059
条件式（３）       0.086          0.139           0.053
条件式（４）       0.430          0.529           0.482
条件式（５）       0.083          0.102           0.127
条件式（６）      11.68          12.45            9.11
条件式（７）       2.64           3.20            1.43
条件式（Ａ）      10.82          10.82           10.82
【０１９１】
図２３は、本実施形態のズームレンズを用い、撮像素子として小型のＣＣＤ又はＣＭＯＳなどを用いた撮像装置としての一眼ミラーレスカメラの断面図である。図２３において、１は一眼ミラーレスカメラ、２は鏡筒内に配置された撮像レンズ系、３は撮像レンズ系２を一眼ミラーレスカメラ１に着脱可能とする鏡筒のマウント部であり、スクリュータイプやバヨネットタイプ等のマウントが用いられる。この例では、バヨネットタイプのマウントを使用している。また、４は撮像素子面、５はバックモニタである。
【０１９２】
このような構成の一眼ミラーレスカメラ１の撮像レンズ系２として、例えば上記実施例１〜７に示した本実施形態のズームレンズが用いられる。
【０１９３】
図２４、図２５は、ズームレンズを撮影光学系４１に組み込んだ、本実施形態の撮像装置の構成の概念図を示す。図２４は撮像装置としてのデジタルカメラ４０の外観を示す前方斜視図、図２５は同背面斜視図である。
【０１９４】
この実施形態のデジタルカメラ４０は、撮影用光路４２上に位置する撮影光学系４１、シャッターボタン４５、液晶表示モニタ４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が結像面近傍に設けられた撮像素子（光電変換面）上に形成される。この撮像素子で受光された物体像は、処理手段によって電子画像としてカメラ背面に設けられた液晶表示モニタ４７に表示される。また、撮影された電子画像は記録手段に記録することができる。
【０１９５】
図２６は、本実施形態のデジタルカメラ４０の主要部の内部回路を示すブロック図である。なお、以下の説明では、前述した処理手段５１は、例えば、ＣＤＳ／ＡＤＣ部２４、一時記憶メモリ１７、画像処理部１８等で構成され、記憶手段５２は、記憶媒体部等で構成される。
【０１９６】
図２６に示されるように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１９７】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１９８】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメモリに格納されているプログラムに従って、デジタルカメラ４０全体を制御する。
【０１９９】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【０２００】
ＣＤＳ／ＡＤＣ部２４は、ＣＣＤ４９から入力される電気信号を増幅し、かつ、アナログ／デジタル変換を行って、この増幅とデジタル変換を行っただけの映像生データ（ベイヤーデータ、以下ＲＡＷデータという。）を一時メモリ１７に出力する回路である。
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０２０１】
記憶媒体部１９は、例えばフラッシュメモリ等からなるカード型又はスティック型の記憶媒体を着脱自在に装着して、これらのフラッシュメモリに、一時記憶メモリ１７から転送されるＲＡＷデータや画像処理部１８で画像処理された画像データを記録して保持する。
【０２０２】
表示部２０は、液晶表示モニタ４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２０３】
このように構成されたデジタルカメラ４０は、撮像光学系４１として本発明のズームレンズを採用することで、小型で動画撮像に適した撮像装置とすることが可能となる。
【０２０４】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【０２０５】
１…レンズ交換式カメラ
２…撮像レンズ系
３…マウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニタ
【図１】
0005635358.tif 000002
【図２】
0005635358.tif 000003
【図３】
0005635358.tif 000004
【図４】
0005635358.tif 000005
【図５】
0005635358.tif 000006
【図６】
0005635358.tif 000007
【図７】
0005635358.tif 000008
【図８】
0005635358.tif 000009
【図９】
0005635358.tif 000010
【図１０】
0005635358.tif 000011
【図１１】
0005635358.tif 000012
【図１２】
0005635358.tif 000013
【図１３】
0005635358.tif 000014
【図１４】
0005635358.tif 000015
【図１５】
0005635358.tif 000016
【図１６】
0005635358.tif 000017
【図１７】
0005635358.tif 000018
【図１８】
0005635358.tif 000019
【図１９】
0005635358.tif 000020
【図２０】
0005635358.tif 000021
【図２１】
0005635358.tif 000022
【図２２】
0005635358.tif 000023
【図２３】
0005635358.tif 000024
【図２４】
0005635358.tif 000025
【図２５】
0005635358.tif 000026
【図２６】
0005635358.tif 000027